(57)【要約】【課題】  人の通行や操作に煩雑さがない愛玩動物用柵を提供する。【解決手段】  正面パネル３と、正面パネル３の両側に設けられた側面パネル５、７とを備えた愛玩動物侵入規制用柵１であって、正面パネル３の高さは人が跨げる高さに設定されると共に、側面パネル５、７は正面パネル３と交差方向に延出しており、自立可能に構成されている。また、正面パネル３は幅方向に伸縮可能に構成されているのが好ましい。さらに、側面パネル５、７は折り畳み可能に構成されているのが好ましい。【選択図】  図１
2006197948.tif 000002
【特許請求の範囲】
【請求項１】
正面パネルと、該正面パネルの両側に設けられた側面パネルとを備えた愛玩動物侵入規制用柵であって、側面パネルは正面パネルと交差方向に延出しており、自立可能に構成されていることを特徴とする愛玩動物侵入規制用柵。
【請求項２】
正面パネルは幅方向に伸縮可能に構成されていることを特徴とする請求項１に記載の愛玩動物侵入規制用柵。
【請求項３】
側面パネルは折り畳み可能に構成されていることを特徴とする請求項１または２に記載の愛玩動物侵入規制用柵。
【請求項４】
側面パネルと正面パネルを回動可能に連結する連結部と、側面パネルを使用状態に開いたときに、側面パネルの回動を規制するストッパを設けたことを特徴とする請求項３に記載の愛玩動物侵入規制用柵。
【請求項５】
正面パネルの下面および側面パネルの下面にすべり防止用の摩擦力増加部材を設置したことを特徴とする請求項１〜４のいずれか一項に記載の愛玩動物侵入規制用柵。
【請求項６】
正面パネルと側面パネルは分解可能に構成されていることを特徴とする請求項１〜５のいずれか一項に記載の愛玩動物侵入規制用柵。
【請求項７】
正面パネルは、枠部と該枠部内に設置された線材とからなり、正面パネルにおける中央部３／５の部分は縦方向線材のみが設置されていることを特徴とする請求項１〜６のいずれか一項に記載の愛玩動物侵入規制用柵。
【請求項８】
正面パネルは、人が跨げる高さに設定されていることを特徴とする請求項１〜７のいずれか一項に記載の愛玩動物侵入規制用柵。
【請求項９】
正面パネルの一部に愛玩動物の通行を可能とする小扉を設けたことを特徴とする請求項１〜８のいずれか一項に記載の愛玩動物侵入規制用柵。
【請求項１０】
正面パネルは人の通行時に開閉できる扉を備えてなることを特徴とする請求項１〜９のいずれか一項に記載の愛玩動物侵入規制用柵。
【発明の詳細な説明】
【技術分野】
【０００１】
本発明は、室内において飼育する愛玩動物が特定の場所に侵入するのを防止する愛玩動物侵入規制用柵に関する。
【背景技術】
【０００２】
室内で動物を飼育する場合において、キッチンや玄関など愛玩動物の通行を阻止したい場所がある。
このような場所への愛玩動物の侵入を阻止するための柵として以下のようなものがある。
室内の所望の部屋に動物が進入することを防止するための室内用の柵であって、前記柵は、柱や壁などに対して着脱自在な取付部を有し、該取付部を互いに対面する柱や壁などに取付けることにより柱や壁などの間の空間を塞ぐことが可能であり、前記柵は、片手で操作することにより開閉可能な扉部を有していることを特徴とする室内動物用柵（特許文献１参照）。
【特許文献１】特開２００２−２１３７６号公報
【発明の開示】
【発明が解決しようとする課題】
【０００３】
しかしながら、特許文献１に記載の室内動物用柵は、両側に押圧して固定するものであるから、両側に押圧力を支持する柱や壁がないと設置できない。したがって、両側に押圧力を支持する柱や壁がない、例えば階段の上がり口のようなところには設置できないという問題がある。
また、柱等に押圧して取付けるために、一旦取付けると取外しの操作が煩雑である。
さらに、扉のようなものであることから、人の通行時には扉を開放するという動作が必要になり、操作が煩雑である。
【０００４】
以上のように、特許文献１に記載されたものは、人の通行上、あるいは取付・取外し等に煩雑さがあるという問題があった。
【０００５】
本発明はかかる課題を解決するためになされたものであり、人の通行や取付・取外しの煩雑さがない愛玩動物侵入規制用柵を提供することを目的としている。
【課題を解決するための手段】
【０００６】
（１）本発明に係る愛玩動物侵入規制用柵は、正面パネルと、該正面パネルの両側に設けられた側面パネルとを備えた愛玩動物侵入規制用柵であって、側面パネルは正面パネルと交差方向に延出しており、自立可能に構成されていることを特徴とするものである。
側面パネルが正面パネルと交差方向に延出して自立可能になっている場合の例としては、平面視で、正面パネルと側面パネルが、略コ字状、Ｈ形状を形成するものがある。また、正面パネルと側面パネルが略コ字状を形成し、コ字の２片を構成する側面パネルと反対方向に支持部材が延出するようなものであってもよい。
【０００７】
（２）また、上記（１）における正面パネルは幅方向に伸縮可能に構成されていることを特徴とするものである。伸縮可能にするための具体的手段としては、例えば正面パネルを複数のパネルから構成し、これら複数のパネルを前後に重ねて配置して、前後の重なり量を調整することで全体の幅を調整するようにする。
【０００８】
（３）また、上記（１）または（２）における側面パネルは折り畳み可能に構成されていることを特徴とするものである。
【０００９】
（４）また、上記（３）のものにおいて、側面パネルと正面パネルを回動可能に連結する連結部と、側面パネルを使用状態に開いたときに、側面パネルの回動を規制するためのストッパを設けたことを特徴とするものである。ストッパの具体例としては、側面パネルを使用状態に開いたときに側面パネルと正面パネルの両方に連通する細孔を設けておき、この細穴にピンを挿通することが考えられる。
【００１０】
（５）また、上記（１）〜（４）に記載のものにおいて、正面パネルの下面および側面パネルの下面にすべり防止用の摩擦力増加部材を設置したことを特徴とするものである。
【００１１】
（６）また、上記（１）〜（５）における正面パネルと側面パネルは分解可能に構成されていることを特徴とするものである。正面パネルと側面パネルを分離可能にすることで、収納時に分解できるので、収納がコンパクトにできる。
【００１２】
（７）また、上記（１）〜（６）における正面パネルは、枠部と該枠部内に設置された線材とからなり、正面パネルにおける中央部３／５の部分は縦方向線材のみが設置されていることを特徴とするものである。正面パネルにおける中央部３／５の部分を縦方向線材のみから形成することで、動物が足を掛けることができなくなるので、動物が線材に足を掛けて柵を乗り越える危険がない。
【００１３】
（８）また、上記（１）〜（７）における正面パネルは、人が跨げる高さに設定されていることを特徴とするものである。
正面パネルの高さを人が跨げる高さに設定したので、人の通行においては跨いで通ることができ、扉の開閉動作が不要であり、便利である。
人が跨げる高さとしては、５０ｃｍ〜６５ｃｍが好ましい。
【００１４】
（９）また、上記（１）〜（８）に記載のものにおいて、正面パネルの一部に愛玩動物の通行を可能とする小扉を設けたことを特徴とするものである。
小扉を設けることで、愛玩動物侵入規制用柵を設置した状態で、愛玩動物の通行を可能にでき、状況に応じて愛玩動物の通行の可否を切り替えられるので便宜である。
【００１５】
（１０）また、上記（１）〜（９）における正面パネルは、人の通行時に開閉できる扉を備えてなることを特徴とするものである。
人の通行時に開閉できる扉を備えたことにより、正面パネルが跨げないような高さであっても人の通行を可能し、また、子供や身体に障害があり跨ぐことができない人の通行を可能にする。
【発明の効果】
【００１６】
本発明の愛玩動物侵入規制用柵においては、正面パネルと、該正面パネルの両側に設けられた側面パネルとを備え、側面パネルを正面パネルと交差方向に延出して自立可能に構成したので、設置場所を選ばずどこでも設置できる。
また、側面パネルを設けていることから、正面パネルの側方からの愛玩動物の通行を防止することができる。つまり、側面パネルは単に正面パネルの自立を可能にしているのみではなく、正面パネルの側方からの愛玩動物のすり抜けを確実に防止する機能を備えている。
【発明を実施するための最良の形態】
【００１７】
図１は本発明の本実施の形態に係る愛玩動物侵入規制用柵を正面から見た斜視図、図２は同じく本実施の形態に係る愛玩動物侵入規制用柵を正面から見た斜視図であって、正面パネルの幅を狭めた状態を示す図、図３は分解斜視図である。
また、図４は正面図、図５は平面図、図６は底面図、図７は左側面図、図８は右側面図である。さらに、図９は図５において丸で囲んだＡ部の拡大図、図１０は図５において丸で囲んだＢ部の拡大図である。また、図１１は本実施の形態の動作を説明する説明図、図１２は図１１において丸で囲んだＣ部の拡大図、図１３は図１１において丸で囲んだＤ部の拡大図である。
以下、図１〜図１３に基づいて本実施の形態を説明する。
【００１８】
本実施の形態に係る愛玩動物侵入規制用柵１は、図１〜図３に示すように、正面パネル３と、正面パネル３の両側に折り畳み可能かつ分離可能に取付けられた一対の側面パネル５，７とを備えている。以下、これらの各構成を、参照図面を示しつつ詳細に説明する。
【００１９】
＜正面パネル＞
正面パネル３は二枚のパネル３ａ、３ｂから構成されている。各パネル３ａ、３ｂの基本構成は同一であるので、以下においてはパネル３ａについて説明し、パネル３ｂの同一構成部分には同一の符号を付す。
パネル３ａは、高さが愛玩動物の通行を規制できると共に人が跨げる高さに設定された矩形状の枠部９と、その枠部内に設置した線材１１によって構成されている（図１〜図４参照）。愛玩動物の通行を規制できると共に人が跨げる高さとしては、５０ｃｍ〜６５ｃｍが好ましい。
枠部９の上横材の一端に側面パネル３の厚み分だけ側方に延出する延出部９ａが設けられている（図１参照）。
線材１１は主として縦方向に設置されているが、上下の一部に横方向の線材が各１本ずつ設置されている。つまり、正面パネルの中央部３／５の部分は縦方向の線材のみで構成されている。このようにしたのは、愛玩動物が足などを掛けないようにするためである。
【００２０】
二枚のパネル３ａ、３ｂは、図１及び図５に示すように、その一部が前後に重なるように配置されている。前後に配置された二枚のパネル３ａ、３ｂは、その前後の重なる部分を多くしたり少なくしたりすることで、全体の幅を調整可能に構成されている。
前方に配置されたパネル３ａの枠部９を構成する上下の横部材の先端部裏面側には２個の位置決用インサートナット１３が設けられている（図３、図５参照）。また、後方に配置されたパネル３ｂの枠部９を構成する上下の横部材には複数の位置決用穴１５が設けられている。後方のパネル３ｂに設けた複数の位置決用穴１５の穴同士の間隔は前方に設けた２個の位置決用穴１３の間隔の半分に設定されている。
【００２１】
二枚の正面パネル３ａ、３ｂの一部を重ねて、後方のパネル３ｂの位置決用穴１５を前方のパネル３ａのインサートナット１３の位置に合わせて、パネル３ｂの後方からボルト１６を挿通することで、二枚のパネル３ａ、３ｂを所定位置に固定して、正面パネル３の幅を固定することができる（図３、図５参照）。このとき、前方のパネル３ａにインサートナット１３を２個設けたことで、前後のパネルの連結を確実に行うことができる。しかも、前方のパネル３ａに設けた２個のインサートナット１３の間隔を広くしたので、前面パネル３に前後方向の力が作用した場合の抵抗力を大きくできる。他方、後方のパネル３ｂには前方のパネル３ａのインサートナット間隔の半部の間隔で位置決用穴１５を設けているので、微妙な幅調整が可能である。
【００２２】
＜側面パネル＞
正面パネル３の両側に取付けられた二枚の側面パネル５、７は基本的に同一の構成であるので、以下においては片側の側面パネル５について説明する。
側面パネル５は、図７に示すように、略矩形状の枠部１７と、その枠内に設置された線材１９とから構成されている。線材１９は、正面パネル３と同様に、主として縦方向の線材からなり、上下の一部に横方向の線材が各１本ずつ設置されている。つまり、側面パネル５の中央部３／５の部分は縦方向の線材のみで構成されている。
側面パネル５の下部には略三角形の脚部２１が設けられている。脚部２１は、愛玩動物侵入規制用柵１の設置状態において、前面パネル３の前方に延出するようになっている。脚部２１を設けることで、愛玩動物侵入規制用柵１の自立状態での安定性が向上する。
【００２３】
＜側面パネルと正面パネルの取付構造＞
側面パネル５は、前面パネルに折り畳み可能に取付けられている。具体的には、側面パネル５と正面パネル３ａとは、側面パネル５の前側の縦枠部材の内面側と、正面パネル３ａの裏面一側に設置された柱部材２３の上下二箇所に設けられた蝶番２５によって回動可能に連結されている（図９、図１０参照）。
蝶番２５は、図３に示すように、側面パネル側（側面パネル７側を参照）に取付けた第１蝶番２５ａと前面パネル３ａ側に取付けた第２蝶番２５ｂから構成され、これらが各パネルの上下２箇所に設けられている。そして、上段の第１蝶番２５ａは軸ピンから構成され、下段の第１蝶番２５ａは円筒部から構成されている。他方、第２蝶番２５ｂは上下共に円筒部から構成されている。
このように構成された蝶番２５においては、上段の第１蝶番２５ａに上段の第２蝶番２５ｂを挿入し、さらに下段の第１蝶番２５ａ及び第２蝶番２５ｂの円筒部に軸ピン２６を挿通することで、側面パネル５と前面パネル３ａを回動可能に連結できる。また、両者を分離する際には、軸ピン２６を抜き、前面パネル３ａを持ち上げて上段の第１蝶番２５ａの軸ピンから第２蝶番２５ｂの円筒部を抜くようにすればよい。
【００２４】
正面パネル３ａの裏面側に設けられた柱部材２３は後方に配置される前面パネル３ｂと同一の厚みを有している。そして、蝶番２５の回動中心は、図９、図１２に示すように、柱部材２３の後方側の位置にある。このようにすることで、図１１、図１２に示すように、側面パネル５を折りたたんだときに、側面パネル５と正面パネル３ａの間に柱部材２３の厚み分の隙間ができる。この隙間に、後方側の前面パネル３ｂを挿入でき、折り畳んだときにコンパクトになる。
なお、側面パネル７側には柱部材は設けられておらず、側面パネル７は、図５及び図１０、図１３に示すように、側面パネル７と前面パネル３ｂの枠部９に設けた蝶番２５によって前面パネル３ｂに回動可能かつ分離可能に取り付けられている
折り畳んだ状態では、図１１の二点鎖線で示すように、両側の側面パネル５，７がほぼ面一になるので、収納するときに便宜である。
【００２５】
なお、愛玩動物侵入規制用柵１の設置状態においては（図１参照）、正面パネル３の枠部９の延出部９ａから側面パネル５、７の枠部１７にピン２７を挿通することで、側面パネル５，７の回動が防止される。すなわち、ピン２７が本発明のストッパとして機能する。
【００２６】
以上のように構成された本実施の形態の愛玩動物侵入規制用柵１においては、図１に示すように略Ｈ字状にして室内の所望の箇所に設置する。このとき、愛玩動物侵入規制用柵１は自立できるので、両側に壁や柱のない場所、例えば階段の上り口であっても設置することができる。また、側面パネル５、７を設けているので、正面パネルの側方からの愛玩動物の通行を防止できる。
なお、図６に示すように、正面パネル３ａ、３ｂ、側面パネル５、７の底面には、ゴム製の摩擦力増加部材３１が設置されているので、壁や柱へ固定されていなくても、滑りが防止され安定している。
また、本実施の形態の愛玩動物侵入規制用柵１は、その高さを人が跨げる高さに設定しているので、人の通行時には跨ぐことができ、通行の際に何らの操作も不要である。
【００２７】
設置場所に応じて正面パネル３の幅を狭める場合には、図２に示すように、前後の正面パネル３ａ、３ｂの重畳部を多くすればよい。
また、収納する際には、図１１に示すように、前面パネル３ａ、３ｂをほぼ全面的に重ね合わせ、側面パネル５、７を前面パネル３側に回動させることで、コンパクトにすることができる。
さらに、図３に示すように、正面パネル３ａ、３ｂ、側面パネル５、７は、軸ピン２６を抜くだけで分離できるので、輸送時などには分解することで、さらにコンパクトにでき、また、組立も簡単である。
【００２８】
以上のように、本実施の形態の愛玩動物侵入規制用柵１は、人の通行や操作に煩雑さがなく、収納時にはコンパクトにできる。
【００２９】
なお、上記の実施の形態においては、正面パネル３、側面パネル５，７を枠部と線材からなる構成としたが、正面パネル３、側面パネル５，７を板材によって構成してもよい。
また、正面パネルは平面に限られず、左右あるいは上下に湾曲するようにしてもよい。
また、二枚の正面パネル３ａ、３ｂの幅調整機構として、一方に長孔を設け、長孔に挿通したネジで両者を任意の位置で固定するようにしてもよい。
【００３０】
さらに、図１４に示すように、正面パネル３ａの一部に愛玩動物の通行を可能とする小扉４１を設けてもよい。
小扉４１を設けることで、愛玩動物侵入規制用柵を設置した状態で、愛玩動物の通行を可能にでき、状況に応じて愛玩動物の通行の可否を切り替えられるので便宜である。
【００３１】
また、図１５に示すように、前側の正面パネル５１を、人の通行時に開閉できる扉を備えてなるものにしてもよい。この開閉扉は取手５３を図の矢印の方向に回動させることで開放可能になる。
このように、人の通行時に開閉できる扉を備えたことにより、正面パネルが跨ぐことができないような高さであっても人の通行を可能し、また、子供や身体に障害があり正面パネルを跨ぐことができない人の通行を可能にする。
【図面の簡単な説明】
【００３２】
【図１】本発明の本実施の形態に係る愛玩動物侵入規制用柵を正面から見た斜視図である。
【図２】本実施の形態に係る愛玩動物侵入規制用柵を正面から見た斜視図であって、正面パネルの幅を狭めた状態を示す図である。
【図３】本発明の本実施の形態に係る愛玩動物侵入規制用柵の分解斜視図である。
【図４】本発明の本実施の形態に係る愛玩動物侵入規制用柵の正面図である。
【図５】本発明の本実施の形態に係る愛玩動物侵入規制用柵の平面図である。
【図６】本発明の本実施の形態に係る愛玩動物侵入規制用柵の底面図である。
【図７】本発明の本実施の形態に係る愛玩動物侵入規制用柵の左側面図である。
【図８】本発明の本実施の形態に係る愛玩動物侵入規制用柵の右側面図である
【図９】図５において丸で囲んだＡ部の拡大図である。
【図１０】図５において丸で囲んだＢ部の拡大図である。
【図１１】本実施の形態の動作を説明する説明図である。
【図１２】図１１において丸で囲んだＣ部の拡大図である。
【図１３】図１１において丸で囲んだＤ部の拡大図である。
【図１４】本発明の本実施の形態に係る愛玩動物侵入規制用柵の他の態様の説明図である。
【図１５】本発明の本実施の形態に係る愛玩動物侵入規制用柵の他の態様の説明図である。
【符号の説明】
【００３３】
１  愛玩動物侵入規制用柵
３  正面パネル
５、７  側面パネル
【図１】
2006197948.tif 000003
【図２】
2006197948.tif 000004
【図３】
2006197948.tif 000005
【図４】
2006197948.tif 000006
【図５】
2006197948.tif 000007
【図６】
2006197948.tif 000008
【図７】
2006197948.tif 000009
【図８】
2006197948.tif 000010
【図９】
2006197948.tif 000011
【図１０】
2006197948.tif 000012
【図１１】
2006197948.tif 000013
【図１２】
2006197948.tif 000014
【図１３】
2006197948.tif 000015
【図１４】
2006197948.tif 000016
【図１５】
2006197948.tif 000017
【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
正面パネルと、該正面パネルの両側に設けられた側面パネルとを備えた愛玩動物侵入規制用柵であって、
前記正面パネルと前記側面パネルが、平面視で略コ字状を形成して自立可能に構成されると共に、コ字の２片を構成する側面パネルと反対方向に支持部材が延出して設けられ、
前記正面パネルは複数のパネルからなり、これら複数のパネルを前後に重ねて配置して、前後の重なり量を調整することで全体の幅を調整するように構成され、
前記正面パネルは、５０ｃｍ〜６５ｃｍの高さに設定されていることを特徴とする愛玩動物侵入規制用柵。
【請求項２】
正面パネルと側面パネルは分解可能に構成されていることを特徴とする請求項１に記載の愛玩動物侵入規制用柵。
【請求項３】
正面パネルは、枠部と該枠部内に設置された線材とからなり、正面パネルにおける中央部３／５の部分は縦方向線材のみが設置されていることを特徴とする請求項１または２に記載の愛玩動物侵入規制用柵。
【手続補正２】
【補正対象書類名】明細書
【補正対象項目名】０００６
【補正方法】変更
【補正の内容】
【０００６】
（１）本発明に係る愛玩動物侵入規制用柵は、正面パネルと、該正面パネルの両側に設けられた側面パネルとを備えた愛玩動物侵入規制用柵であって、前記正面パネルと前記側面パネルが、平面視で略コ字状を形成して自立可能に構成されると共に、コ字の２片を構成する側面パネルと反対方向に支持部材が延出して設けられ、前記正面パネルは複数のパネルからなり、これら複数のパネルを前後に重ねて配置して、前後の重なり量を調整することで全体の幅を調整するように構成され、前記正面パネルは、５０ｃｍ〜６５ｃｍの高さに設定されていることを特徴とするものである。
【手続補正３】
【補正対象書類名】明細書
【補正対象項目名】０００７
【補正方法】変更
【補正の内容】
【０００７】
（２）上記（１）に記載のものにおいて、正面パネルと側面パネルは分解可能に構成されていることを特徴とするものである。
正面パネルと側面パネルを分離可能にすることで、収納時に分解できるので、収納がコンパクトにできる。
【手続補正４】
【補正対象書類名】明細書
【補正対象項目名】０００８
【補正方法】変更
【補正の内容】
【０００８】
（３）また、上記（１）または（２）における正面パネルは、枠部と該枠部内に設置された線材とからなり、正面パネルにおける中央部３／５の部分は縦方向線材のみが設置されていることを特徴とするものである。正面パネルにおける中央部３／５の部分を縦方向線材のみから形成することで、動物が足を掛けることができなくなるので、動物が線材に足を掛けて柵を乗り越える危険がない。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明の愛玩動物侵入規制用柵においては、正面パネルと、該正面パネルの両側に設けられた側面パネルとを備え、前記正面パネルと前記側面パネルが、平面視で略コ字状を形成して自立可能に構成したので、設置場所を選ばずどこでも設置できる。
また、コ字の２片を構成する側面パネルと反対方向に支持部材が延出して設けられているので、愛玩動物侵入規制用柵の自立状態での安定性が向上する。
さらに、側面パネルを設けていることから、正面パネルの側方からの愛玩動物の通行を防止することができる。つまり、側面パネルは単に正面パネルの自立を可能にしているのみではなく、正面パネルの側方からの愛玩動物のすり抜けを確実に防止する機能を備えている。
またさらに、正面パネルの高さを５０ｃｍ〜６５ｃｍに設定したので、人の通行においては跨いで通ることができ、扉の開閉動作が不要であり、便利である。